(57)【要約】【課題】比較的単純な装置構造で、オイルを速やかに昇温させることができるオイル循環装置を提供する。【解決手段】オイルパン２０内には、その底面及び側面と所定の間隔をおくように仕切部材４０が配置される。オイル低温時には、クランクケース５の内壁を伝って流下する返送オイルが、側面側オイル流路６１及び底面側オイル流路６２を順に流れ、オイルパイプ３０内へ吸入される。オイル高温時には、仕切部材４０内のオイルが昇温されてその粘度が低下し、このオイルが小開口４６を通じて仕切部材４０の外部へ流出し、オイルパイプ３０の吸込口３３ａへ吸入される。【選択図】図１
2008208736.tif 000002
【特許請求の範囲】
【請求項１】
エンジンの下部に設けられてオイルが回収されるオイルパンと、該オイルパン内のオイルを汲み上げて上記エンジンへ供給するためのオイルパイプとを備えたオイル循環装置であって、
上記オイルパンの底面に沿うように形成された底壁部と、該オイルパンの側面に沿うように形成された側壁部とを有する中空容器状に形成され、上記底壁部及び側壁部がオイルパンの底面及び側面とそれぞれ所定の間隔をおくようにオイルパンの内部に配置される仕切部材を備え、
上記仕切部材の底壁部及び側壁部のいずれか一方又は両方には、オイルが流通可能な複数の小開口が形成されており、
上記オイルパイプの吸込口は、上記仕切部材の底壁部と上記オイルパンの底面との間に開口していることを特徴とするオイル循環装置。
【請求項２】
請求項１において、
上記仕切部材は、その上側が蓋部によって閉塞されていることを特徴とするオイル循環装置。
【請求項３】
請求項２において、
上記仕切部材には、上記蓋部及び底壁部に上記オイルパイプが貫通する貫通口がそれぞれ形成されていることを特徴とするオイル循環装置。
【請求項４】
請求項３において、
上記仕切部材には、上記オイルパイプが内嵌する筒部が上記蓋部の貫通口と上記底壁部の貫通口とに跨って形成されており、
上記筒部とオイルパイプとの間には、上記蓋部及び底壁部の各貫通口を連通させる隙間流路が形成されていることを特徴とするオイル循環装置。
【請求項５】
請求項４において、
上記オイルパイプは、鉛直方向に延びて上記蓋部及び底壁部の各貫通口をそれぞれ貫通しており、
上記仕切部材には、上記オイルパンの油面高さの変動に応じて仕切部材をオイルパイプに沿って変位させるように仕切部材をオイル中に浮遊させるフロート部が設けられており、
上記オイルパイプには、仕切部材の高さが所定高さ以下になると、上記蓋部の貫通口を塞ぐ閉塞部が形成されていることを特徴とするオイル循環装置。
【請求項６】
請求項２乃至５のいずれか１つにおいて、
上記仕切部材の蓋部には、該仕切部材の内部の空気を外部へ逃がすための空気抜き孔が形成されていることを特徴とするオイル循環装置。
【請求項７】
請求項１乃至６のいずれか１つにおいて、
上記オイルパイプの吸込口は、オイルパンの底面の略中央部に臨んでいることを特徴とするオイル循環装置。
【発明の詳細な説明】
【技術分野】
【０００１】
本発明は、エンジンの下部に取り付けられて、エンジンの潤滑用のオイルを回収すると共に、回収したオイルを汲み上げてエンジンの各摺動部へ供給するオイル循環装置に関し、特に各摺動部へ供給するオイルの昇温対策に係るものである。
【背景技術】
【０００２】
従来より、自動車等の車両用内燃機関に設けられて、潤滑用オイルをエンジンへ循環させるオイル循環装置が知られている。この種のオイル循環装置は、クランクケースの下部に取り付けられるオイルパンと、このオイルパンの内部に開口するオイルパイプとを備えている。オイルパンは、クランクケースの下端にボルトによって締結されている。オイルパイプは、その吸込口がオイルパンの内部に開口している。また、オイルパイプには、オイルパンに回収されたオイルを汲み上げてエンジンの各摺動部へ供給するためのオイルポンプが設けられている。
【０００３】
この種のオイル循環装置では、エンジンの始動に伴いオイルポンプが駆動され、オイルパン内のオイルがオイルパイプを通じてエンジンへ供給される。エンジンへ供給されたオイルは、ピストンやクランク軸等の各摺動部の潤滑に利用され、オイルパン内に再び回収される。なお、各摺動部の潤滑に利用されたオイルは、エンジンから吸熱することで昇温する。
【０００４】
ところで、エンジンの始動時やアイドリング時等には、オイルパン内のオイルが比較的低温の状態となるため、オイルの粘度が大きくなり易い。従って、このような低温状態のオイルをエンジンへ供給すると、各摺動部の潤滑不良を招いてしまう問題が生じる。具体的には、オイルの粘度が大きい状態では、オイルポンプによってエンジンの各摺動部へ供給されるオイルの供給量が不足気味となり易く、加えて各摺動部での摺動抵抗が増大し易い。その結果、エンジンの摩擦馬力が増大し、ひいてはエンジンの燃料消費率が増大してしまうという問題が生じる。また、いわゆる低温スラッジの発生に伴い、各摺動部で摩耗が生じやすくなるという問題も生じる。
【０００５】
そこで、特許文献１に開示されているオイル循環装置では、エンジンの始動時等において、オイルの昇温を速やかに行えるように、オイルパン内に仕切板を設けている。具体的には、特許文献１に開示のオイルパンの内部は、仕切板によって水平方向に２つの油溜めが区画されている。仕切板には、これら２つの油溜めを連通させるための複数の連通口が水平方向に貫通して形成されている。各連通口には、バイメタルから成る開閉弁がそれぞれ設けられている。各開閉弁は、オイルパン内のオイル温度に応じて、各連通口を開放する状態と、閉鎖する状態とに熱変形するように構成されている。また、オイルポンプの吸込口は、２つの油溜めのうちの片方の油溜めに臨んでいる。
【０００６】
特許文献１に開示のオイル循環装置では、エンジンの始動時、つまりオイルポンプ内のオイルが比較的低温である場合に、開閉弁が連通口を閉鎖する状態となる。従って、この状態でオイルポンプが駆動されると、オイルパンからは片方の油溜めに溜まったオイルがエンジンへ供給される一方、残りの油溜めに溜まったオイルは積極的にエンジンへ供給されない。従って、エンジンの始動時にはオイルの循環量が制限されるので、エンジンへ供給されるオイルは速やかに昇温する。その結果、上述の如くオイルの粘度不足に起因して各摺動部で潤滑不良を招いてしまうという問題が回避される。
【０００７】
一方、このようにしてオイルが昇温されて比較的高温になると、開閉弁が熱変形して連通口を開放する状態となる。従って、この状態では２つの油溜めが連通口を介して連通するので、実質的には双方の油溜めのオイルがエンジンへ供給される。つまり、このオイル循環装置では、オイルが高温になると、オイルパン内の全てのオイルが積極的にエンジンへ供給される。ここで、エンジンへ供給されるオイルは高温であり粘度が大きくなっているので、このオイルによって各摺動部の潤滑が良好に行われることになる。
【特許文献１】特開２００３−２７８５１９号公報
【発明の開示】
【発明が解決しようとする課題】
【０００８】
上述のように、特許文献１に開示のオイル循環装置では、オイルパンを仕切板によって２つの油溜めに区画し、オイル低温時には開閉弁により各油溜めの連通を禁止することで、オイルを速やかに昇温させて各摺動部の潤滑不良を解消できるようにしている。しかしながら、この構成では、オイルの温度に応じて変形するバイメタル等の開閉弁が必要となるため、その装置構造が複雑となり、製造コストの増大、あるいはメンテナンスの煩雑化を招いてしまう。
【０００９】
本発明は、かかる点に鑑みてなされたものであり、その目的は、比較的単純な装置構造で、オイルを速やかに昇温させることができるオイル循環装置を提供することである。
【課題を解決するための手段】
【００１０】
第１の発明は、エンジンの下部に設けられてオイルが回収されるオイルパンと、該オイルパン内のオイルを汲み上げてエンジンへ供給するためのオイルパイプとを備えたオイル循環装置を前提としている。そして、このオイル循環装置は、上記オイルパンの底面に沿うように形成された底壁部と、該オイルパンの側面に沿うように形成された側壁部とを有する中空容器状に形成され、上記底壁部及び側壁部がオイルパンの底面及び側面とそれぞれ所定の間隔をおくようにオイルパンの内部に配置される仕切部材を備え、該仕切部材の底壁部及び側壁部のいずれか一方又は両方には、オイルが流通可能な複数の小開口が形成されており、上記オイルパイプの吸込口は、上記仕切部材の底壁部と上記オイルパンの底面との間に開口していることを特徴とするものである。
【００１１】
第１の発明では、オイルを回収するためのオイルパン内に中空容器状の仕切部材が収容される。仕切部材は、オイルパンの底面及び側面との間に所定の間隔をおくように配置される。つまり、仕切部材の外側には、仕切部材の側壁部とオイルパンの側面との間や、仕切部材の底壁部とオイルパンの底面との間にオイルの流路が区画される。また、オイルパイプの吸込口は、仕切部材の底壁部とオイルパンの底面との間のオイルの流路に開口している。
【００１２】
例えばエンジンの始動時において、比較的低温のオイルがオイルパイプを介してエンジンへ供給されると、このオイルはエンジンの各摺動部の潤滑に利用され、同時にエンジンから吸熱して昇温する。潤滑に利用されたオイルは、その多くがクランクケース等の内壁を伝うようにしてオイルパン側へ流下する。つまり、潤滑に利用されたオイルは、そのほとんどがオイルパンの側壁寄りに流入する一方、オイルパンの中央寄りにはあまり流入しない。従って、仕切部材の側壁部とオイルパンの側面との間のオイルの流路には、昇温されて比較的高温となったオイルが積極的に送り込まれることになる。このオイルは、仕切部材の底壁部とオイルパンの底面との間の流路を流れ、オイルパイプに再び吸入される。
【００１３】
ここで、本発明では、仕切部材の底壁部と側壁部の一方又は両方に、オイルが流通可能な小開口を形成している。このため、仕切部材の内部のオイルは、この小開口を通じて仕切部材の外側の流路に流出し得る。しかしながら、エンジンの始動時等においては、仕切部材の内部のオイルが比較的低温であり、そのオイルの粘度も比較的大きくなっている。このため、本発明では、仕切部材の内部の低温のオイルが、小開口を通じて仕切部材の外部へ流出してしまうことが制限される。従って、オイルパイプには、エンジンから返送されて上述したオイルの流路を流れる高温のオイルが積極的に吸入される一方、仕切部材の内部の低温のオイルはほとんど吸入されない。よって、エンジンの始動時等のオイル低温時においては、エンジンから返送された高温のオイルのみが実質的に循環してエンジンへ供給される。その結果、エンジンへ供給されるオイルが速やかに所望の温度まで昇温されるので、エンジンの始動時等における各摺動部の潤滑不良が未然に回避される。
【００１４】
一方、このようにして循環するオイルが昇温して比較的高温になると、仕切部材の内部のオイルは、仕切部材の外部のオイルから吸熱して次第に昇温していく。このため、仕切部材の内部のオイルは、高温となり、その粘度も次第に低くなる。その結果、小開口でのオイルの流通が促進されるので、仕切部材の内部から外部へのオイルの流出量が増大する。つまり、仕切部材の内部のオイルが昇温すると、オイルパイプには、エンジンから返送された高温のオイルと、仕切部材の内部の高温のオイルとの双方が積極的に吸入される。従って、エンジンの始動から所定の時間が経過すると、オイルパン内のオイルの全量が実質的に循環してエンジンへ供給されることになり、オイルの循環量が充分に確保される。
【００１５】
また、本発明では、エンジンから返送されたオイルが、オイルパンの側面及び底面のオイルの流路を順に流通して、オイルパイプに吸入される。このため、オイルパン内に流入したオイルが、オイルパイプに吸入されるまでのオイルの経路を稼ぐことができる。従って、オイルパンに流入したオイル中に含まれる空気を気泡状態として分離させ易くなるので、オイルパイプ内へ空気が吸入されてしまうことを回避できる。その結果、エンジンの各摺動部の潤滑に利用されるオイル中でのいわゆる空気の噛み込みに起因して、オイル供給不足等により、各摺動部の潤滑が損なわれてしまうことが防止される。
【００１６】
第２の発明は、第１の発明のオイル循環装置において、上記仕切部材は、その上側が蓋部によって閉塞されていることを特徴とするものである。
【００１７】
第２の発明では、中空容器状の仕切部材の上側が蓋部によって覆われる。このため、エンジンから返送されるオイルが、仕切部材の上側に滴下しても、このオイルが仕切部材の上側から内部へ侵入してしまうことが、蓋部によって阻止される。一方、蓋部の上側に滴下したオイルは、オイルパンの側面側のオイル流路に回り込み、更に底面側のオイルの流路を通じてオイルパイプへ吸入される。このように、本発明では、オイル低温時において、仕切部材の上側に滴下した高温のオイルもオイルパイプへ送り込まれる。その結果、エンジンへ供給されるオイルが一層速やかに昇温することになる。
【００１８】
第３の発明は、第２の発明のオイル循環装置において、仕切部材には、蓋部及び底壁部に上記オイルパイプが貫通する貫通口がそれぞれ形成されていることを特徴とするものである。
【００１９】
第３の発明では、仕切部材の蓋部及び底壁部に貫通口がそれぞれ形成され、この貫通口にオイルパイプが挿通される。このため、オイル中に浸積される仕切部材の水平方向の変位が、このオイルパイプによって制限される。従って、仕切部材の側壁部とオイルパンの側面との間の間隔が狭くなり過ぎることが抑制され、仕切部材の側壁部の外側には確実にオイルの流路が確保されことになる。
【００２０】
第４の発明は、第３の発明のオイル循環装置において、上記仕切部材には、上記オイルパイプが内嵌する筒部が上記蓋部の貫通口と上記底壁部の貫通口とに跨って形成されており、該筒部とオイルパイプとの間には、上記蓋部及び底壁部の各貫通口を連通させる隙間流路が形成されていることを特徴とするものである。
【００２１】
第４の発明では、仕切部材の蓋部及び底壁部の各貫通口が、筒部の外周面とオイルパイプの内周面との間に隙間流路を介して連通される。つまり、本発明では、仕切部材の底壁部とオイルパンの底面との間のオイルの流路が、隙間流路を介して蓋部の上側と繋がることになる。このため、エンジン側から蓋部の上側に滴下したオイルの一部は、蓋部の貫通口より隙間流路へ流入する。このオイルは、隙間流路を下方に流れ、底壁部の貫通口よりオイルパンの底面側のオイルの流路へ流出し、オイルパイプの吸込口へ吸入される。このように、本発明では、仕切部材の上側に滴下した高温のオイルを隙間通路を通じてオイルパイプへ送り込むことができるので、エンジンへ供給されるオイルが一層速やかに昇温される。
【００２２】
第５の発明では、第４の発明のオイル循環装置において、上記オイルパイプは、鉛直方向に延びて上記蓋部及び底壁部の各貫通口をそれぞれ貫通しており、上記仕切部材には、上記オイルパンの油面高さの変動に応じて仕切部材をオイルパイプに沿って変位させるように仕切部材をオイル中に浮遊させるフロート部が設けられており、上記オイルパイプには、仕切部材の高さが所定高さ以下になると、上記蓋部の貫通口を塞ぐ閉塞部が形成されていることを特徴とするものである。
【００２３】
第５の発明では、仕切部材にフロート部が設けられる。オイルパン内の油面の高さは、エンジンへ供給されるオイル量や、オイルパンから返送されるオイル量等に応じて適宜変化する。フロート部は、このような油面高さの変動に応じて仕切部材を変位させる。つまり、本発明の仕切部材は、オイルパイプに沿って鉛直方向に変位するようにオイル中を浮遊する。
【００２４】
ところで、例えばエンジンからの返油量が減少して、オイルパン内の油面高さが比較的低くなると、仕切部材はこの油面高さに応じて比較的低い位置に変位する。その結果、蓋部の貫通口からオイルパイプの吸込口までの間のオイルの経路の長さも、これに応じて短くなることになる。このような状態で、蓋部の上側のオイルが隙間通路を介してオイルパイプまで吸入される場合、このオイル中に含まれる空気が充分に分離されず、オイルパイプ内に空気が混入し易くなる。その結果、エンジンの各摺動部に利用されるオイル中での空気の噛み込みに起因して、各摺動部の潤滑が損なわれてしまうという問題が生じてしまう。
【００２５】
そこで、本発明では、オイルパンの油面高さの下降に起因して仕切部材の高さが所定高さ以下になると、オイルパイプの閉塞部が蓋部の貫通口を塞ぐようにしている。このため、油面高さが低い状態では、蓋部の上側のオイルが貫通口より隙間通路へ流入することがない。従って、蓋部の上側に滴下したオイルは、オイルパンの側面側及び底面側のオイルの流路を通じてオイルパイプへ吸入される。このようにすると、蓋部の上側のオイルが、オイルパイプへ吸入されるまでの間の経路が長くなるので、この経路を流れるオイル中の空気が確実に分離される。その結果、オイルパンの油面高さが比較的低い条件下において、オイル中の空気の噛み込みに起因して各摺動部の潤滑が損なわれてしまうことが防止される。
【００２６】
第６の発明は、第２乃至第５のいずれか１つの発明のオイル循環装置において、上記仕切部材の蓋部には、該仕切部材の内部の空気を外部へ逃がすための空気抜き孔が形成されていることを特徴とするものである。
【００２７】
第６の発明では、オイルパン内のオイルが含む空気が仕切部材の内部へ侵入した場合に、この空気が蓋部の空気抜き孔を通じて仕切部材の外部へ逃がされる。
【００２８】
第７の発明は、第１乃至第６のいずれか１つの発明のオイル循環装置において、上記オイルパイプの吸込口は、オイルパンの底面の略中央部に臨んでいることを特徴とするものである。
【００２９】
第７の発明では、オイルパイプの吸込口をオイルパンの底面の中央部に位置させることで、オイルパンの側面側からオイルパイプまでの間の距離が均一化される。このため、オイルパンに返送されたオイルがオイルパイプへ吸入されるまでの間の経路が、オイルパイプの全周に亘って均一化され、この経路の長さが局所的に短くなってしまうことが回避される。その結果、オイル中に含まれる空気が更に分離され易くなり、オイルパイプへの空気の混入を確実に防止することができる。
【発明の効果】
【００３０】
本発明では、オイルパンの側面及び底面と所定の間隔をおくように仕切部材をオイルパン内に配置し、オイルパイプの吸込口を仕切部材の底壁部とオイルパンの底面との間に開口させるようにしている。このため、本発明によれば、エンジンの始動時等のオイル低温時には、クランクケース等の内壁を伝って返送される高温のオイルをオイルパンの側面側及び底面側のオイル流路を経由してオイルパイプに吸入させることができる。従って、オイル低温時には、エンジンに加熱されて返送されるオイルを積極的に循環させることで、このオイルを速やかに所望とする温度まで昇温することができる。その結果、エンジンの始動後に速やかに低粘度のオイルをエンジンの各摺動部へ供給することができ、各摺動部の潤滑を良好に行うことができる。よって、本発明によれば、従来のもののようにバイメタル弁等を用いることなく、比較的単純な構造によって、各摺動部の潤滑不良に起因する燃料消費率の増大や各摺動部での摩耗の発生を防止することができる。
【００３１】
また、本発明では、仕切部材の側壁部と底壁部のうち少なくとも底壁部にオイルが流通可能な小開口を形成するようにしている。このため、本発明によれば、オイル温度の上昇に伴って、仕切部材の内部から小開口を通じてオイルパイプへ送り込むオイル量を徐々に増大させることができる。従って、オイル高温時には、オイルパン内のオイルの全量を循環させることができ、エンジンへ供給するオイルが不足してしまうのを未然に回避することができる。
【００３２】
更に、本発明では、返送されたオイルが、オイルパンの側面側及び底面側のオイル流路を流通する際、オイル中に含まれる空気を気泡として分離させることができる。特に、仕切部材の底壁部に小開口を形成する場合には、上方に分離された気泡を底壁部側の小開口よりオイルパンの内部に流入させることができる。このため、オイルパイプへの空気の混入を確実に防止することができる。従って、その後に各摺動部の潤滑に利用されるオイル中でのいわゆる空気の噛み込みを防止でき、各摺動部の潤滑を良好に行うことができる。
【００３３】
第２の発明では、仕切部材の上側を蓋部によって覆うようにしている。このため、本発明によれば、オイル低温時において、エンジンから仕切部材の上側へ滴下したオイルが仕切部材の内部へ侵入してしまうことを防止できる。従って、このオイルをオイルパンの側面側及び底面側のオイル流路を経由してオイルパイプへ吸入させることができるので、オイル低温時において、一層速やかにオイルを昇温させることができる。
【００３４】
第３の発明によれば、仕切部材の蓋部及び底壁部をオイルパイプが貫通するようにしたので、このオイルパイプによって仕切部材の水平方向の変位を制限することができる。従って、仕切部材の側壁部とオイルパンの側面との間にオイルの流路を確実に確保することができ、このオイルをオイルパンの底面側よりオイルパイプへ吸入させることができる。その結果、オイル低温時において、オイルを速やか且つ確実に昇温させることができる。
【００３５】
第４の発明では、筒部の外周面とオイルパイプの内周面との間に隙間流路を形成し、蓋部及び底壁部の各貫通口を隙間流路によって連通させるようにしている。このため、本発明によれば、蓋部の上側に滴下したオイルを隙間通路を介してオイルパイプへ吸入させることができる。その結果、加熱されたオイルを一層速やかにオイルパイプへ戻すことができ、オイル低温時におけるオイルの昇温効果を更に向上させることができる。
【００３６】
第５の発明では、フロート部によってオイル中に浮遊した状態の仕切部材が所定高さ以下となると、蓋部の貫通口をオイルパイプの閉塞部で塞ぐようにしている。このため、本発明によれば、オイルパン内の油面高さが比較的低い位置となる条件では、蓋部の上側のオイルを仕切部材の側壁部及び底壁部側のオイルの流路よりオイルパン内へ送るこむことができる。その結果、油面高さが低い条件下においても、オイル中に含まれる空気を確実に分離することができ、各摺動部の潤滑に利用されるオイル中の空気の噛み込みを防止できる。従って、各潤滑部の潤滑が空気によって損なわれてしまうのを未然に防止できる。
【００３７】
第６の発明によれば、蓋部に空気逃がし孔を形成するようにしたので、オイル中に含まれている空気が、小開口を通じて仕切部材の内部へ侵入しても、この空気を速やかに外部の気相空間へ排出することができる。その結果、仕切部材の内部の空気がオイルパイプの吸込口へ吸い込まれてしまうことを抑制できるので、潤滑に利用される空気中の空気の噛み込みを一層確実に防止できる。
【００３８】
第７の発明では、オイルパイプの吸込口をオイルパンの底面の略中央部に臨ませるようにしている。このため、本発明によれば、オイルパンの側面側からオイルパイプの吸込口までの間に、オイルパイプの全周に亘って有る程度のオイルの流路の長さを確保することができる。その結果、このオイル流路を流れるオイル中の空気が更に分離され易くなり、潤滑に利用されるオイル中の空気の噛み込みを一層確実に防止できる。
【発明を実施するための最良の形態】
【００３９】
以下、本発明の実施形態を図面に基づいて詳細に説明する。
【００４０】
本実施形態に係るオイル循環装置１０は、自動車の車両用内燃機関に適用されるものである。このオイル循環装置１０は、エンジンのシリンダヘッド、シリンダブロック、ピストン、クランク軸等の各摺動部へ潤滑用のオイルを循環させるものである。図１〜図３に示すように、オイル循環装置１０は、オイルパン２０及びオイルパイプ３０を備えている。                                     
【００４１】
オイルパン２０は、エンジンの下部に配置されており、エンジンの潤滑に利用されたオイルを回収するための容器を構成している。オイルパン２０は、上側が開放された扁平な箱形に形成されている。オイルパン２０は、その上側の開放面がシリンダの軸線と直交するようにやや斜めに傾斜している。オイルパン２０の底面は、長方形状に形成されている。一方、オイルパン２０の上側の開放縁部は、その縦断面が逆Ｕの字状となるように外側に曲げられている。そして、オイルパン２０は、その上端の平坦な面がクランクケース５の下端面と当接する状態で、クランクケース５に固定されている（図１及び図２参照）。以上のように、このオイル循環装置１０は、エンジンの下部にオイルパン２０が一体的に取り付けられる、いわゆるウェットサンプ式である。また、オイルパン２０は、その内側の側面がクランクケース５の内壁と連続するように形成されている。つまり、クランクケース５の下端開口部とオイルパン２０の上端開口部とは略一致する形状をしている。
【００４２】
オイルパイプ３０は、オイルパン２０内のオイルをエンジンの各摺動部へ供給するためのものである。オイルパイプ３０は、その上端側から下端側に向かって順に、細管部３１と拡径管部３２と吸入管部３３とが連続的に形成されている。細管部３１は、円筒状に形成され、その上端側が図外のオイル供給通路を介してエンジンの各摺動部と繋がっている。拡径管部３２は、細管部３１の下端から吸入管部３３の上端に向かって、その内径が徐々に拡大した台形円錐筒状に形成されている。吸入管部３３は、細管部３１よりも大径の円筒状に形成されている。吸入管部３３の下端には、オイルパン２０内のオイルを吸入するための吸込口３３ａが形成されている。この吸込口３３ａは、オイルパン２０の底面の略中央部に臨むように下側を向いて開口している。また、吸入管部３３の内部には、吸込口３３ａの全域に跨るように網目状のストレーナ（図示省略）が設けられている。ストレーナは、オイルパイプ３０へ吸入されるオイル中に含まれる比較的大きな異物を捕捉する。また、オイルパイプ３０には、クランクシャフトの回転力を駆動源とするオイルポンプ（図示省略）が設けられている。このオイルポンプが駆動されることで、オイルパン２０内のオイルはオイルパイプ３０を通じて上方へ汲み上げられ、エンジンの各摺動部へ供給される。
【００４３】
本実施形態のオイル循環装置１０は、オイルパン２０内に収容される中空容器状の仕切部材４０を備えている。仕切部材４０は、上側が開放された箱状の仕切部材本体４１と、この仕切部材本体４１の上側を閉塞するための蓋部を構成する上蓋５０とを備えている。
【００４４】
仕切部材本体４１は、樹脂材料により構成されている。仕切部材本体４１は、各々が一体的に成形される、底壁部４２、側壁部４３、フロート部４４、及び筒部４５を有している。
【００４５】
底壁部４２は、仕切部材本体４１の下端側に形成されている。底壁部４２は、オイルパン２０の底面に沿うように形成されている。具体的に、底壁部４２は、オイルパン２０の底面よりも小さく、且つこの底面と相似する長方形板状に形成されている。また、底壁部４２の中央には、上記オイルパイプ３０が貫通する底壁側貫通口４２ａが形成されている。底壁側貫通口４２ａの内径は、オイルパイプ３０の吸入管部３３の外径よりも僅かに大径となっている。
【００４６】
側壁部４３は、底壁部４２の外縁の全周に亘って形成されている。具体的には、仕切部材本体４１には、底壁部４２の外縁の４辺のうち、その長辺側に対応する一対の長辺側側壁部４３ａと、その短辺側に対応する一対の短辺側側壁部４３ｂとが形成されている。各側壁部４３ａ，４３ｂは、オイルパン２０の各側面に沿うような板状に形成されている。
【００４７】
フロート部４４は、仕切部材本体４１の上端部の全周を囲むように形成されている。フロート部４４は、各側壁部４３ａ，４３ｂの上端の外縁に沿うように延びており、その内部に密閉空間が形成されている。このフロート部４４により、仕切部材４０はオイルパン２０内のオイル中に浮遊する。具体的に、本実施形態のフロート部４４は、上蓋５０の上端面の高さがオイルパン２０内のオイルの油面高さ以上となるように仕切部材４０を浮遊させている。
【００４８】
筒部４５は、仕切部材本体４１の中央部に形成されている。筒部４５は、円筒状に形成されており、底壁側貫通口４２ａから鉛直上方に延びている。筒部４５の上端は、各側壁部４３ａ，４３ｂの上端よりも低い位置となっている。また、筒部４５の内径は、オイルパイプ３０の吸入管部３３の外径よりも僅かに大径であり、且つ底壁側貫通口４２ａの内径よりも僅かに小径となっている。筒部４５の周壁には、該筒部４５の外側と内側とを連通させるための複数の筒部側連通口４５ａが形成されている。各筒部側連通口４５ａは、筒部４５の軸周りに等間隔おきに配列されている。
【００４９】
上述の上蓋５０は、樹脂材料で構成されている。上蓋５０は、上記仕切部材本体４１とは別体で成形され、上記仕切部材本体４１に固定されている。上蓋５０は、互いに一体に成形される、蓋部本体５１、空気抜き部５２、及び油受け部５３を有している。
【００５０】
蓋部本体５１は、板状に形成されており、仕切部材本体４１の上側の開放面を塞ぐように水平な姿勢で仕切部材本体４１に支持されている。蓋部本体５１には、４つの空気抜き部５２が形成されている。各空気抜き部５２は、蓋部本体５１から上方に突出する略筒状に形成され、その内部には空気抜き孔５２ａがそれぞれ形成されている。各空気抜き孔５２ａは、仕切部材本体４１の内部と蓋部本体５１の上側の空間とを連通させている。つまり、各空気抜き孔５２ａは、仕切部材４０の内部の空気を外部へ逃がすための開口を構成している。
【００５１】
油受け部５３は、上蓋５０の中央で、且つオイルパイプ３０の軸周りに形成されている。この油受け部５３には、オイルが貯留可能なオイル溝５３ａが形成されている。具体的には、油受け部５３は、蓋部本体５１からオイルパイプ３０側に向かって斜め下方に傾斜する環状の第１傾斜板部５３ｂと、該第１傾斜板部５３ｂから更に内側に向かって斜め上方に傾斜する環状の第２傾斜板部５３ｃとを有している。つまり、油受け部５３は、その縦断面がＶの字となる環状に形成され、第１傾斜板部５３ｂと第２傾斜板部５３ｃとの間に上記オイル溝５３ａが形成されている。第２傾斜板部５３ｃは、オイルパイプ３０の拡径管部３２の外周面に沿うように形成されている。
【００５２】
第１傾斜板部５３ｂと第２傾斜板部５３ｃの連接部位の下端には、上記筒部４５の上端が固定されている。また、第２傾斜板部５３ｃの径方向内側には、上記オイルパイプ３０が貫通する上蓋側貫通口５０ａが形成されている。上蓋側貫通口５０ａは、第２傾斜板部５３ｃの上端から下端側に向かって徐々に内径が拡大する台形円錐状に形成されている。上蓋側貫通口５０ａは、オイルパイプ３０の拡径管部３２の外周面が係合するような形状をしている。更に、第２傾斜板部５３ｃには、オイル溝５３ａの底部と上蓋側貫通口５０ａとを連通させるための複数の上蓋側連通口５３ｄが形成されている。各上蓋側連通口５３ｄは、オイルパイプ３０の軸周りに等間隔おきに配列されている。
【００５３】
上述したオイルパイプ３０は、オイルパン２０内を鉛直方向に延びており、仕切部材４０の上蓋側貫通口５０ａ、筒部４５の内部、及び底壁側貫通口４２ａに挿通されている。これにより、仕切部材４０は、オイルパイプ３０の伸長方向に変位自在となるようにオイルパイプ３０に保持されている。即ち、仕切部材４０は、オイルパン２０内の油面高さに応じて鉛直方向に変位可能となっている。また、筒部４５の内周面とオイルパイプ３０の間には、オイルが流通可能な隙間流路６０が形成されている。隙間流路６０は、上蓋５０の上蓋側貫通口５０ａと底壁部４２の底壁側貫通口４２ａとを連通可能としている。更に、仕切部材４０は、水平方向への変位がオイルパイプ３０によって制限されている。つまり、オイルパイプ３０は、仕切部材４０の鉛直方向の変位を許容しながら該仕切部材４０の水平方向の変位を規制する規制部材を構成している。
【００５４】
また、上蓋側貫通口５０ａは、オイルパン２０内の油面高さに応じて開閉されるように構成されている。即ち、オイルパン２０内の油面高さが所定高さ以上高くなり、仕切部材４０も所定高さ以上になると、オイルパイプ３０の拡径管部３２と第２傾斜板部５３ｃとが離間する。その結果、上蓋側連通口５３ｄ及び上蓋側貫通口５０ａが開放された状態となる（図４(Ａ)参照）。一方、オイルパン２０内の油面高さが所定高さ以下になり、仕切部材４０も所定高さ以下になると、オイルパイプ３０の拡径管部３２と第２傾斜板部５３ｃとが当接する。その結果、上蓋側連通口５３ｄ及び上蓋側貫通口５０ａは、オイルパイプ３０の拡径管部３２によって塞がれた状態となる（図４(Ｂ)参照）。以上のように、オイルパイプ３０の拡径管部３２は、仕切部材４０の高さが所定高さ以下になると、上蓋側連通口５３ｄ及び上蓋側貫通口５０ａを塞ぐ閉塞部を構成している。このような開閉動作の詳細は後述するものとする。
【００５５】
以上のような構成の仕切部材４０は、オイルパン２０の側面及び底面と所定の間隔をおくようにオイルパン２０の内部に配置されている。具体的には、仕切部材４０の各側壁部４３と、各側壁部４３に対応するオイルパン２０の側面とは、所定間隔離れている。これにより、仕切部材４０の長辺側側壁部４３ａとオイルパン２０の側面との間、及び仕切部材４０の短辺側側壁部４３ｂとオイルパン２０の側面との間には、それぞれ側面側オイル流路６１が形成されている。また、仕切部材４０の底壁部４２とオイルパン２０の底面とは、所定間隔離れている。これにより、仕切部材４０の底壁部４２とオイルパン２０の間には、底面側オイル流路６２が形成されている。この底面側オイル流路６２には、上記オイルパイプ３０の吸込口３３ａが開口している。一方、仕切部材４０の内部には、底壁部４２と側壁部４３と筒部４５と上蓋５０との間に、オイル貯留部６３が形成されている。
【００５６】
また、仕切部材４０の底壁部４２及び側壁部４３には、オイルが流通可能な複数の小開口４６が形成されている。なお、図１から図４においては、各小開口４６を誇張するために、各小開口４６を実際のサイズよりも大きく現すようにしている。各小開口４６は、側壁部４３に形成される側面側小開口４６ａと、底壁部４２に形成される底面側小開口４６ｂとで構成されている。側面側小開口４６ａは、オイル貯留部６３と側面側オイル流路６１とを連通させている。底面側小開口４６ｂは、オイル貯留部６３と底面側オイル流路６２とを連通させている。各小開口４６は、略正方形状に形成されており、底壁部４２及び側壁部４３にそれぞれパンチング加工によって形成されている。各小開口４６は、所定の行数及び列数で等間隔おきに配列されている。
【００５７】
また、各小開口４６は、その開口面積が比較的小さくなっており、オイルの流通に対して所定の抵抗を付与している。そして、各小開口４６は、オイルの温度に応じて、その内部を流通するオイル量が変化するように構成されている。具体的には、各小開口４６は、オイルの温度が高くなるに連れて、即ちオイルの粘度が小さくなるに連れて、オイルの流通が促進されるように構成されている。換言すると、各小開口４６は、オイルの温度が小さくなるに連れて、即ちオイルの粘度が大きくなるに連れて、オイルの流通が制限されるように構成されている。
【００５８】
−オイル循環動作−
次に、本実施形態に係るオイル循環装置１０によるオイル循環動作について図１〜図３を参照しながら説明する。
【００５９】
エンジンの始動前においては、オイルパン２０内に溜まっているオイルの温度が比較的低温となっている。このようなオイル低温時（冷間時）にエンジンが始動すると、オイルポンプが駆動され、オイルパン２０内のオイルがオイルパイプ３０の吸込口３３ａに吸入される。吸込口３３ａに吸入されたオイルは、オイルパイプ３０を上方に流れ、所定のオイル供給通路を介してエンジンの各摺動部へ供給される。その結果、各摺動部がオイルによって潤滑される。潤滑に利用されるオイルは、エンジンから吸熱して昇温された後、オイルパン２０側へ流下する。ここで、オイルパン２０へ返送されるオイルは、そのほとんどがクランクケース５の内壁を伝って流下する。
【００６０】
クランクケース５の内壁を流下したオイルは、オイルパン２０の側面に沿うようにしてオイルパン２０内へ流入する。このオイルは、側面側オイル流路６１を下方へ流れて底面側オイル流路６２へ流入する。底面側オイル流路６２では、オイルがオイルパン２０の中央側へ誘引され、オイルパイプ３０の吸込口３３ａに吸い込まれる。
【００６１】
ここで、オイルが底面側オイル流路６２を流れる際には、オイル中に含まれる空気が気泡の状態で上方へ浮上分離する。この気泡は、底面側小開口４６ｂを介してオイル貯留部６３内へ捕捉される。オイル貯留部６３内に捕捉された空気は、空気抜き孔５２ａを通じて上蓋５０の上方の空間へ適宜排出される。以上のようにして、オイルパイプ３０内へ吸い込まれるオイル中からは空気が分離される。その結果、オイル中の空気の噛みこみに起因する各摺動部の潤滑不良が未然に解消される。
【００６２】
一方、仕切部材４０内のオイル貯留部６３のオイルは、エンジンからオイルパン２０へ返送されたオイルと比較して低温となっている。つまり、オイル貯留部６３のオイルは、その粘度が比較的大きい状態となっている。このため、エンジンの始動直後には、各小開口４６ａ，４６ｂを介してオイル貯留部６３から各オイル流路６１，６２へ向かうオイルの流通抵抗が大きくなる。従って、このような冷間時には、オイル貯留部６３のオイルが、各小開口４６ａ，４６ｂを通じて側面側オイル流路６１や底面側オイル流路６２へ流出してしまうことが抑制される。その結果、オイルパイプ３０へは、エンジンから返送されたオイルが積極的に吸入される一方、オイル貯留部６３内のオイルはほとんど吸入されない。つまり、冷間時のオイル循環装置１０は、エンジンから返送されたオイルだけを実質的に循環させてエンジンへ供給する。ここで、エンジンから返送されるオイルは比較的高温となっているので、エンジンへ供給されるオイルは速やかに所望の温度まで昇温することになる。その結果、各摺動部の潤滑に利用されるオイルの粘度も速やかに小さくなるので、各摺動部の潤滑不良が未然に解消される。
【００６３】
ところで、エンジンの潤滑に利用されたオイルは、少量であるものの仕切部材４０の上側へ滴下することもある。このオイルは、蓋部本体５１の表面を伝って側面側オイル流路６１へ流入し、底面側オイル流路６２を経由してオイルパイプ３０へ吸入される。ここで、このオイルは既にエンジンによって加熱されているので、エンジンへ供給されるオイルの昇温に寄与することになる。
【００６４】
このようなオイル循環動作を継続すると、オイル貯留部６３のオイルは、返送されたオイルから吸熱して次第に昇温していく。このため、オイル貯留部６３のオイルの粘度も次第に小さくなっていく。その結果、各小開口４６ａ，４６ｂにおけるオイルの流通抵抗も徐々に低下し、オイル貯留部６３から各オイル流路６１，６２へ流出するオイルの量が増大する。従って、オイルパイプ３０へは、返送されたオイルと、オイル貯留部６３から流出したオイルとの双方が積極的に吸入されることになる。ここで、オイル貯留部６３から流出するオイルは、既に比較的高温となっているので、その後にオイルへ供給されるオイルの温度が低下してしまうことがない。
【００６５】
以上のようにして、エンジンを始動してから所定時間が経過すると、オイル貯留部６３の高温のオイルがオイルパイプ３０へ積極的に送り込まれる。つまり、オイルパン２０内のオイルが所望の温度まで昇温すると、オイル循環装置１０は、オイルパン２０内のオイルの全量を実質的に循環させてエンジンへ供給する。このため、オイルの循環量が充分確保されるので、エンジンへ供給されるオイルが不足してしまうことが未然に回避される。
【００６６】
ところで、上述したようなオイル循環動作においては、返送されたオイルの一部が油受け部５３のオイル溝５３ａ内に入り込むこともある。ここで、図４(Ａ)に示すように、オイルパン２０内のオイルの貯留量が比較的多く、油面高さが比較的高くなると、油受け部５３の上蓋側連通口５３ｄ及び上蓋側貫通口５０ａが開放される状態となる。このため、オイル溝５３ａ内のオイルは、上蓋側連通口５３ｄ及び上蓋側貫通口５０ａを通過して、オイルパイプ３０と筒部４５との間の隙間流路６０を比較的小流量で流通し、最終的にはオイルパイプ３０の吸込口３３ａへ吸入される。この隙間流路６０をオイルが流通する際には、オイル中に含まれる空気が気泡の状態で浮上分離する。
【００６７】
また、同図に示すように油面高さが比較的高い状態では、筒部４５の筒部側連通口４５ａの少なくとも一部が隙間流路６０に臨む位置となる。このため、隙間流路６０で分離した空気は、この筒部側連通口４５ａを介して仕切部材４０内のオイル貯留部６３へ流入する。筒部側連通口４５ａを介してオイル貯留部６３内に侵入した空気は、空気抜き孔５２ａを通じて上蓋５０の上方の空間へ適宜排出される。
【００６８】
一方、例えばエンジンの始動時等においては、エンジンへ供給されたオイルの戻り量が減少し易いので、オイルパン２０内のオイルの貯留量が減少し、油面高さが低くなる。このようにして油面高さが低くなる状態では、上蓋側貫通口５０ａからオイルパイプ３０の吸込口３３ａまでの間のオイルの流通経路が比較的短くなるので、上述のようにして隙間流路６０を流れるオイル中の空気を充分に分離することが困難となる。その結果、この流路を流れるオイル中の空気がオイルパイプ３０へ吸入されてしまい、オイル中の空気の噛み込みに起因して各摺動部の潤滑が損なわれてしまう虞がある。
【００６９】
そこで、本実施形態では、オイルパン２０内のオイルの油面高さが所定高さ以下になると、オイル溝５３ａから隙間流路６０側へのオイルの流通を禁止するようにしている。具体的には、図４(Ｂ)に示すように、オイルの油面高さが所定高さ以下となり、仕切部材４０も所定高さ以下に変位すると、上蓋側連通口５３ｄ及び上蓋側貫通口５０ａがオイルパイプ３０の拡径管部３２によって閉鎖される。このため、このようにオイルの油面高さが低い条件下においては、オイル溝５３ａのオイルが隙間流路６０を介してオイルパイプ３０に吸入されることがない。その結果、オイル中の空気の噛み込みに起因して拡摺動部の潤滑が損なわれてしまうことが未然に回避される。
【００７０】
−実施形態の効果−
上記実施形態では、オイルパン２０の側面及び底面と所定の間隔をおくように仕切部材４０をオイルパン２０内に配置し、オイルパイプ３０の吸込口３３ａを仕切部材４０の底壁部４２とオイルパン２０の底面との間に開口させるようにしている。このため、上記実施形態によれば、エンジンの始動時等のオイル低温時（冷間時）には、クランクケース５の内壁を伝って返送される高温のオイルをオイルパン２０の側面側及び底面側の各オイル流路６１，６２を経由してオイルパイプ３０に吸入させることができる。従って、オイル低温時には、エンジンに加熱されて返送されるオイルを積極的に循環させることで、このオイルを速やかに所望とする温度まで昇温することができる。その結果、エンジンの始動後に速やかに低粘度のオイルをエンジンの各摺動部へ供給することができ、各摺動部の潤滑を良好に行うことができる。よって、各摺動部の潤滑不良に起因する燃料消費率の増大や各摺動部での摩耗の発生を防止することができる。
【００７１】
また、上記実施形態では、仕切部材４０の側壁部４３と底壁部４２とにオイルが流通可能な小開口４６ａ，４６ｂをそれぞれ形成するようにしている。このため、上記実施形態によれば、オイル温度の上昇に伴って、仕切部材４０内のオイル貯留部６３から小開口４６ａ，４６ｂを通じてオイルパイプ３０へ送り込むオイル量を徐々に増大させることができる。従って、オイル高温時には、オイルパン２０内のオイルの全量を循環させることができ、エンジンへ供給するオイルが不足してしまうのを未然に回避することができる。
【００７２】
更に、上記実施形態によれば、返送されたオイルがオイルパン２０の側面側及び底面側の各オイル流路６１，６２を流通する際に、このオイル中に含まれる空気を気泡として分離させることができる。ここで、オイルがオイルパン２０の底面側のオイル流路６２を流れる際には、分離された気泡を仕切部材４０の底壁部４２の小開口４６を通じてオイルパン２０の内部に流入させることができる。このため、オイルパイプ３０への空気の混入を確実に防止することができる。従って、その後に各摺動部の潤滑に利用されるオイル中でのいわゆる空気の噛み込みを防止でき、各摺動部の潤滑を良好に行うことができる。
【００７３】
また、上記実施形態では、仕切部材４０に上蓋５０を設けるようにしている。このため、上記実施形態によれば、オイル低温時において、エンジンから仕切部材４０の上側へ滴下したオイルが仕切部材４０の内部へ侵入してしまうことを防止できる。従って、このオイルをオイルパン２０の側面側及び底面側の各オイル流路６１，６２を経由して、オイルパイプ３０へ吸入させることができるので、各摺動部の潤滑に利用されるオイルを一層速やかに昇温させることができる。
【００７４】
更に、上記実施形態では、仕切部材４０を貫通するようにオイルパイプ３０を設けているので、このオイルパイプ３０によって仕切部材４０の水平方向の変位を制限することができる。従って、側面側オイル流路６１の流路断面が小さくなってしまうことを防止できるので、返送されたオイルを確実に側面側オイル流路６１に流通させることができる。
【００７５】
また、上記実施形態では、上蓋５０に滴下したオイルの一部を隙間流路６０を介してオイルパイプ３０へ送り込めるようにしている。その結果、上蓋５０の上側のオイルを一層確実にオイルパイプ３０へ吸入させることができる。ここで、上記実施形態では、オイルパン２０内の油面高さが所定高さ以下になる場合には、オイルパイプ３０の拡径管部３２で上蓋側貫通口５０ａを塞ぐようにしている。このため、このようにオイルの油面高さが低い条件下では、オイルが隙間流路６０を流通することが禁止されるので、このオイル中に含まれている空気がオイルパイプ３０内に吸い込まれてしまうことを未然に防止できる。従って、各摺動部の潤滑に利用されるオイル中でのいわゆる空気の噛み込みを防止でき、各摺動部の潤滑を良好に行うことができる。
【００７６】
更に、上記実施形態では、オイルパイプ３０の吸込口３３ａをオイルパン２０の底面の略中央部に臨ませるようにしている。このため、本実施形態では、底面側オイル流路６２の流路長さを、オイルパイプ３０の全周に亘って均一に確保することができる。その結果、底面側オイル流路６２を流れるオイル中の空気が更に分離され易くなり、各摺動部の潤滑に利用されるオイル中の空気の噛み込みを一層確実に防止できる。
【００７７】
《その他の実施形態》
上記実施形態については、以下のような構成としてもよい。
【００７８】
上記実施形態では、仕切部材４０の底壁部４２と側壁部４３との双方にそれぞれ小開口４６を形成するようにしている。しかしながら、仕切部材４０の底壁部４２のみ、あるいは側壁部４３のみに小開口４６を形成してもよい。また、上記実施形態では、パンチング加工により仕切部材４０に小開口４６を形成するようにしているが、例えば仕切部材４０をメッシュ状の部材で構成し、このメッシュ部に複数の小開口４６を形成するようにしても良い。
【００７９】
また、上記実施形態では、仕切部材本体４１と上蓋５０とを別体の樹脂材料により構成しているが、これらを一体成形して仕切部材４０を構成するようにしても良い。また、仕切部材本体４１や上蓋５０を金属材料等の他の材料で構成するようにしても良い。
【００８０】
また、上記実施形態では、上蓋５０と底壁部４２の各貫通口５０ａ，４２ａを連通させる隙間流路６０を形成し、上蓋５０の上側に滴下したオイルの一部を隙間流路６０を通じてオイルパイプ３０へ吸入させるようにしている。しかしながら、このような隙間流路６０を設けず、上蓋５０の上側のオイルの全量を側面側オイル流路６１及び底面側オイル流路６２を通じてオイルパイプ３０へ吸入させるよういしても良い。このような場合には、上蓋５０の内側から外側へ向かって斜め下方に傾斜面を形成するようにすると、上蓋５０の上側のオイルを速やかに側面側オイル流路６１へ流入させることができ好適である。
【００８１】
更に、上記実施形態では、筒部４５に複数の筒部側連通口４５ａを形成しているが、この筒部側連通口４５ａを形成しない構成としても良い。また、筒部側連通口４５ａを各小開口４６と同等の開口面積とする、あるいは各小開口４６よりも小さい開口面積とするようにしても良い。
【００８２】
なお、以上の実施形態は、本質的に好ましい例示であって、本発明、その適用物、あるいはその用途の範囲を制限することを意図するものではない。
【産業上の利用可能性】
【００８３】
以上説明したように、本発明は、クランクケースの下部に取り付けられて、エンジンの潤滑用のオイルを回収すると共に、回収したオイルを汲み上げてエンジンの各摺動部へ供給するオイル循環装置に関し有用である。
【図面の簡単な説明】
【００８４】
【図１】図１は、本実施形態に係るオイル循環装置の前後方向における縦断面図である。
【図２】図２は、本実施形態に係るオイル循環装置の左右方向における縦断面図である。
【図３】図３は、本実施形態に係るオイル循環装置の斜視図である。
【図４】図４(Ａ)及び(Ｂ)は、オイルパイプの近傍を拡大した縦断面図であり、図４(Ａ)は上蓋側貫通口が開放された状態を示すものであり、図４(Ｂ)は上蓋側貫通口が閉鎖された状態を示すものである。
【符号の説明】
【００８５】
５    クランクケース
２０   オイルパン
３０   オイルパイプ
３２   拡径管部（閉塞部）
３３ａ 吸込口
４０   仕切部材
４２   底壁部
４２ａ 底壁側貫通口（貫通口）
４３   側壁部
４４   フロート部
４５   筒部
４６   小開口
５０   上蓋（蓋部）
５０ａ 上蓋側貫通口（貫通口）
５２   空気抜き孔
６０   隙間流路
【図１】
2008208736.tif 000003
【図２】
2008208736.tif 000004
【図３】
2008208736.tif 000005
【図４】
2008208736.tif 000006